(57)【特許請求の範囲】
【請求項１】
感光材料を供給する感光材料供給部と、該感光材料供給部から供給された前記感光材料に対して露光を行う画像焼付露光部とを備えた写真処理装置において、前記画像焼付露光部が、前記感光材料の平面性を確保する平面性確保手段と、該平面性確保手段に対して前記感光材料を搬送する搬送手段とを備え、前記平面性確保手段が、前記感光材料を保持する露光台（１１）と、前記感光材料上における露光領域外の前部に位置する第一の押圧ローラ（１４）と、前記露光領域外の後部に位置する第二の押圧ローラ（１５）とを用いて構成され、前記搬送手段が、前記第一の押圧ローラ（１４）の前部に位置する第一の搬送ローラ部（１２）と、前記第二の押圧ローラ（１５）の後部に位置する第二の搬送ローラ部（１３）とを用いて構成されており、前記第一の搬送ローラ部（１２）が第一の上部ローラ（１２ａ）と第一の下部ローラ（１２ｂ）とを有し、前記第二の搬送ローラ部（１３）が第二の上部ローラ（１３ａ）と第二の下部ローラ（１３ｂ）とを有し、前記感光材料が、前記第一の上部ローラ（１２ａ）および前記第一の下部ローラ（１２ｂ）で挟持されると共に、前記第二の上部ローラ（１３ａ）および前記第二の下部ローラ（１３ｂ）で挟持されて搬送されている状態において、前記第一の上部ローラ（１２ａ）および前記第二の上部ローラ（１３ａ）の下側の外周接線を結んだ第一の搬送ライン（Ｌ1 ）よりも前記露光台（１１）側に、前記第一の押圧ローラ（１４）および前記第二の押圧ローラ（１５）の下側の外周接線を結んだ押圧ライン（Ｌｐ）が位置するように構成され、前記第一の押圧ローラ（１４）および前記第二の押圧ローラ（１５）を用いて前記感光材料の平面性が確保されていることを特徴とする写真処理装置。
【請求項２】
前記第一の下部ローラ（１２ｂ）および前記第二の下部ローラ（１３ｂ）の上側の外周接線を結んだ第二の搬送ライン（Ｌ2 ）よりも前記露光台（１１）側に、前記押圧ライン（Ｌｐ）が位置するように構成されている請求項１に記載の写真処理装置。
【請求項３】
前記第一の押圧ローラ（１４）および前記第二の押圧ローラ（１５）が上下方向に揺動可能であるように構成されており、前記第一の押圧ローラ（１４）および前記第二の押圧ローラ（１５）の自重によって前記感光材料の平面性を確保している請求項１又は２に記載の写真処理装置。
【請求項４】
前記第一の押圧ローラ（１４）の回転数が前記第二の押圧ローラ（１５）の回転数よりも小さい値に設定されている請求項１から３のいずれか１項に記載の写真処理装置。
【請求項５】
感光材料を供給する感光材料供給部と、該感光材料供給部から供給された前記感光材料に対して露光を行う画像焼付露光部とを備えた写真処理装置において、前記画像焼付露光部が、前記感光材料の平面性を確保する平面性確保手段と、該平面性確保手段に対して前記感光材料を搬送する搬送手段とを備え、前記平面性確保手段が、平面性確保部を有した露光台を備え、前記搬送手段が、前記平面性確保部の前部に位置する第一の搬送ローラ部（１２）と、前記平面性確保部の後部に位置する第二の搬送ローラ部（１３）とを備えており、前記第一の搬送ローラ部（１２）が第一の上部ローラ（１２ａ）と第一の下部ローラ（１２ｂ）とを有し、前記第二の搬送ローラ部（１３）が第二の上部ローラ（１３ａ）と第二の下部ローラ（１３ｂ）とを有しており、前記平面性確保部における前記感光材料との接触面が、前記第一の下部ローラ（１２ｂ）および前記第二の下部ローラ（１３ｂ）の上側の外周接線を結んだ第二の搬送ライン（Ｌ2 ）よりも上側に設けられていることを特徴とする写真処理装置。
【請求項６】
前記平面性確保部における前記感光材料との接触面が、前記第一の上部ローラ（１２ａ）および前記第二の上部ローラ（１３ａ）の下側の外周接線を結んだ第一の搬送ライン（Ｌ1 ）よりも上側に設けられている請求項５に記載の写真処理装置。
【請求項７】
前記平面性確保部における前記感光材料との接触面が、被写界深度内の曲率半径（Ｒｃ）で形成されている請求項５または６に記載の写真処理装置。
【請求項８】
前記曲率半径（Ｒｃ）が、以下の式であらわされる関係を有した請求項７に記載の写真処理装置。
（Ｂ2／８ｈ）＜Ｒｃ≦∞
Ｒｃ：曲率半径
Ｂ  ：露光範囲
ｈ  ：深度幅
【請求項９】
前記感光材料の露光時においては、前記感光材料に対する前記第一の搬送ローラ部（１２）の圧着状態を解除して、前記感光材料に対してバックテンションを付加する請求項１から８のいずれか１項に記載の写真処理装置。
【発明の詳細な説明】
【０００１】
【発明の属する技術分野】
本発明は、写真処理装置に関し、詳しくは、写真処理装置を構成する画像露光部の改良に関するものである。
【０００２】
【従来の技術】
図９は、従来技術に係る写真処理装置の概略構成側面図を示したものである。図９に示された写真処理装置は、マガジン１１１内に感光材料Ｐが収容された感光材料供給部１１０と、この感光材料供給部１１０から供給された感光材料Ｐに対して画像の焼き付けが行われる画像焼付露光部１２０と、この画像焼付露光部１２０において画像の焼き付けが終了した感光材料Ｐに対して、現像処理、定着処理、および水洗処理等の各処理が行われるプロセッサ部１３０等とを用いて構成されている。
【０００３】
図９において、感光材料供給部１１０のマガジン１１１内には、未露光未現像の感光材料Ｐがロール状態で収容されており、この感光材料Ｐは、必要に応じて画像焼付露光部１２０に搬送される。
【０００４】
また、画像焼付露光部１２０には、感光材料Ｐに対して画像の焼き付けを行う（露光を行う）際に用いられる光源部１２１と、フィルムＦを露光軸Ｘ上に保持するためのネガマスク１２２と、光源部１２１とネガマスク１２２との間の光路を形成しているミラートンネル１２３と、感光材料Ｐを水平に保持する等のために用いられる露光台１２４と、露光軸Ｘ上に置かれたフィルムＦに形成された画像を露光台１２４上の感光材料Ｐに結像させるためのレンズ１２５と、感光材料Ｐを露光台１２４上に搬送させる搬送手段１２８等とが設けられている。
【０００５】
画像焼付露光部１２０において露光された感光材料Ｐは、プロセッサ部１３０に搬送され、発色現像、漂白、定着、安定、乾燥等の処理が行われた後に、カッタ１３１によって１枚毎のプリントにカットされ、仕上がりプリント１３２として排出される。
【０００６】
感光材料Ｐは、図９に示したように、マガジン１１１内においてロール状態で収容されており、また、複数のロールからなる搬送手段１２８を用いて搬送されている。そうすると、このような構成に起因して、感光材料Ｐが画像焼付露光部１２０に供給された際において（露光台１２４に保持された際において）、感光材料Ｐが湾曲等して、その平面性を確保できない場合がある。
このような状態（感光材料Ｐが湾曲等している状態）で感光材料Ｐに対して露光が行われると、フィルムＦに形成された画像が感光材料Ｐに正確に露光されないので、写真の品質が低下する。したがって、露光台１２４において感光材料Ｐの平面性を確保することは、写真の品質を向上させるために必要不可欠である。そこで、従来から、露光台１２４上における感光材料Ｐの平面性を確保するために、種々の構成が提案されている。
【０００７】
図１０は、従来技術に係る画像焼付露光部を構成している露光台近傍の部分拡大図を示したものである。図１０においては、感光材料Ｐの平面性を確保するために、感光材料Ｐを水平に保持する等のために用いられる露光台１２４の下側に、ソレノイド１２６が設けられている。また、このソレノイド１２６はソレノイドピン１２６ａを有し、このソレノイドピン１２６ａが露光台１２４の下面側に取り付けられている。
【０００８】
図１０に示された従来技術によれば、制御装置（図示省略）を用いてソレノイド１２６の駆動状態を制御してソレノイドピン１２６ａを上下動させることによって、供給された感光材料Ｐの平面性を確保するように構成されている。
具体的には、感光材料Ｐの画像形成位置が露光領域Ｓの所定位置に配置されるまでは、ソレノイドピン１２６ａは下降させておき、それに伴って露光台１２４も下げられた状態（図１０の実線で示した状態）となる。そして、感光材料Ｐの画像形成位置が露光領域Ｓの所定位置に配置された場合には、ソレノイドピン１２６ａを上昇させ、それに伴って露光台１２４も持ち上げられた状態（図１０の二点鎖線で示した状態）となる。
すなわち、図１０で示した従来技術によれば、感光材料Ｐに画像が露光される場合（感光材料Ｐの画像形成位置が露光領域Ｓの所定位置に配置された場合）には、露光台１２４によって感光材料Ｐが持ち上げられる。したがって、その際の張力によって、感光材料Ｐの平面性が確保されることとなる。
【０００９】
【発明が解決しようとする課題】
しかしながら、上記従来技術に係る写真処理装置においては、感光材料Ｐの平面性を確保するために、可動性を有する露光台１２４、およびこの露光台１２４を可動させるソレノイド１２６等が必要となるので、装置が大型化するという問題があった。
【００１０】
また、ソレノイド１２６を駆動させるための電気的な制御機構等も必要となるので、装置が複雑化するという問題があった。
【００１１】
そこで、本発明は、上記従来技術に係る写真処理装置の問題を解決するためになされたものであって、電気的な制御機構等を必要とせず、装置を大型化・複雑化することもなく、比較的簡単な構造を用いて、露光時における感光材料の平面性を確保することが可能である写真処理装置を提供することを課題とする。
【００１２】
【課題を解決するための手段】
すなわち、上記課題を解決するための本発明は、感光材料を供給する感光材料供給部と、該感光材料供給部から供給された前記感光材料に対して露光を行う画像焼付露光部とを備えた写真処理装置において、前記画像焼付露光部が、前記感光材料の平面性を確保する平面性確保手段と、該平面性確保手段に対して前記感光材料を搬送する搬送手段とを備え、前記平面性確保手段が、前記感光材料を保持する露光台１１と、前記感光材料上における露光領域外の前部に位置する第一の押圧ローラ１４と、前記露光領域外の後部に位置する第二の押圧ローラ１５とを用いて構成され、前記搬送手段が、前記第一の押圧ローラ１４の前部に位置する第一の搬送ローラ部１２と、前記第二の押圧ローラ１５の後部に位置する第二の搬送ローラ部１３とを用いて構成されており、前記第一の搬送ローラ部１２が第一の上部ローラ１２ａと第一の下部ローラ１２ｂとを有し、前記第二の搬送ローラ部１３が第二の上部ローラ１３ａと第二の下部ローラ１３ｂとを有し、前記感光材料が、前記第一の上部ローラ１２ａおよび前記第一の下部ローラ１２ｂで挟持されると共に、前記第二の上部ローラ１３ａおよび前記第二の下部ローラ１３ｂで挟持されて搬送されている状態において、前記第一の上部ローラ１２ａおよび前記第二の上部ローラ１３ａの下側の外周接線を結んだ第一の搬送ラインＬ1 よりも前記露光台１１側に、前記第一の押圧ローラ１４および前記第二の押圧ローラ１５の下側の外周接線を結んだ押圧ラインＬｐが位置するように構成され、前記第一の押圧ローラ１４および前記第二の押圧ローラ１５を用いて前記感光材料の平面性が確保されていることを特徴とする。
【００１３】
本発明に係る写真処理装置によれば、前記感光材料が湾曲した状態で（ロールされた状態で）搬送される場合であっても、前記感光材料は前記搬送手段から前記平面性確保手段を介して搬送されるので、露光時における前記感光材料の画像記録面は、その平面性が効果的に確保される。
【００１５】
具体的には、前記感光材料が前記第一および第二の押圧ローラ１４，１５と前記露光台１１との間を搬送されることによって、前記感光材料が前記露光台１１側に押しつけられ、前記感光材料に対して一定の張力が与えられる。したがって、前記感光材料における画像記録面（露光領域Ｓ内の所定領域）の平面性を効果的に確保することが可能となる。
【００１７】
さらに、本発明に係る写真処理装置においては、前記第一の下部ローラ１２ｂおよび前記第二の下部ローラ１３ｂの上側の外周接線を結んだ第二の搬送ラインＬ2 よりも前記露光台１１側に、前記押圧ラインＬｐが位置するように構成されていることが好ましい。
【００１８】
さらに、本発明に係る写真処理装置においては、前記第一の押圧ローラ１４および前記第二の押圧ローラ１５が上下方向に揺動可能であるように構成されており、前記第一の押圧ローラ１４および前記第二の押圧ローラ１５の自重によって前記感光材料の平面性を確保していることが好ましい。
【００１９】
さらに、本発明に係る写真処理装置においては、前記第一の押圧ローラ１４の回転数が前記第二の押圧ローラ１５の回転数よりも小さい値に設定されていることが好ましい。
【００２０】
また、本発明に係る写真処理装置は、感光材料を供給する感光材料供給部と、該感光材料供給部から供給された前記感光材料に対して露光を行う画像焼付露光部とを備えた写真処理装置において、前記画像焼付露光部が、前記感光材料の平面性を確保する平面性確保手段と、該平面性確保手段に対して前記感光材料を搬送する搬送手段とを備え、前記平面性確保手段が、平面性確保部を有した露光台を備え、前記搬送手段が、前記平面性確保部の前部に位置する第一の搬送ローラ部１２と、前記平面性確保部の後部に位置する第二の搬送ローラ部１３とを備えており、前記第一の搬送ローラ部１２が第一の上部ローラ１２ａと第一の下部ローラ１２ｂとを有し、前記第二の搬送ローラ部１３が第二の上部ローラ１３ａと第二の下部ローラ１３ｂとを有しており、前記平面性確保部における前記感光材料との接触面が、前記第一の下部ローラ１２ｂおよび前記第二の下部ローラ１３ｂの上側の外周接線を結んだ第二の搬送ラインＬ2 よりも上側に設けられていることを特徴とする。
【００２１】
本発明に係る写真処理装置によれば、前記感光材料が湾曲した状態で（ロールされた状態で）搬送される場合であっても、前記感光材料は前記搬送手段から前記平面性確保手段を介して搬送されるので、露光時における前記感光材料の画像記録面は、その平面性が効果的に確保される。具体的には、前記感光材料が湾曲した状態で（ロールした状態で）前記第一の搬送ローラ部１２から前記第二の搬送ローラ部１３に対して搬送される場合であっても、前記露光台上を前記感光材料が搬送されることによって、前記感光材料が前記露光台の前記平面性確保部によって上方に押し上げられるので、前記感光材料に対しては一定の張力が与えられることとなる。したがって、前記感光材料における画像記録面（露光領域Ｓ内の所定領域）の平面性を効果的に確保することが可能となる。
【００２２】
さらに、本発明に係る写真処理装置においては、前記平面性確保部における前記感光材料との接触面が、前記第一の上部ローラ１２ａおよび前記第二の上部ローラ１３ａの下側の外周接線を結んだ第一の搬送ラインＬ1 よりも上側に設けられている構成であることが好ましい。
【００２３】
また、本発明に係る写真処理装置においては、前記平面性確保部における前記感光材料との接触面が、被写界深度内の曲率半径Ｒｃで形成されていることが好ましい。
【００２４】
この好ましい例によれば、前記曲率半径Ｒｃを有した前記露光台のそりになじむような状態で、前記感光材料が前記露光台上を搬送される。すなわち、元々前記感光材料が有しているそりと、前記露光台のそりとをなじませるようにして、前記感光材料に対して張力が与えられる。したがって、この好ましい例によれば、前記感光材料に対して必要以上の負荷を与えない状態で、張力を与えて、前記感光材料における画像記録面の平面性を確保することが可能となる。
【００２５】
さらに、本発明に係る写真処理装置においては、前記曲率半径Ｒｃが、以下の［数１］であらわされる関係を有した構成であることが好ましい。
【００２６】
【数１】
（Ｂ2／８ｈ）＜Ｒｃ≦∞
Ｒｃ：曲率半径
Ｂ  ：露光範囲
ｈ  ：深度幅
【００２７】
また、本発明に係る写真処理装置においては、前記感光材料の露光時においては、前記感光材料に対する前記第一の搬送ローラ部１２の圧着状態を解除して、前記感光材料に対してバックテンションを付加する構成であることが好ましい。
【００２８】
この好ましい例によれば、前記第一の搬送ローラ部１２の圧着状態を解除して（第一の圧着ローラ部を可動させて、前記搬送ローラ部１２における前記感光材料の挟持状態を解除して）、前記感光材料に対してバックテンション（感光材料の搬送方法とは逆方向の張力）を付加しているので、前記露光台１１上において、より効果的に前記感光材料の平面性を確保することが可能となる。ここで、前記バックテンションを付加する具体的な構成としては、前記第一の搬送ローラ部１２の前部にダンサーローラ等を設ける構成があげられる。
【００２９】
【発明の実施の形態】
以下、図面に基づいて、本発明の実施の形態を説明する。
【００３０】
〈第一の実施形態〉
図１は、本発明の第一の実施形態に係る写真処理装置における画像焼付露光部を構成している露光台近傍の部分拡大図を示したものである。図１において、本実施形態に係る画像焼付露光部は、光源部（図示省略）と、感光材料Ｐを保持するために設けられた露光台１１と、感光材料Ｐを搬送する手段たる第一の搬送ローラ部１２および第二の搬送ローラ部１３と、感光材料Ｐの平面性を確保する平面性確保手段たる第一の押圧ローラ１４および第二の押圧ローラ１５等とを用いて構成されている。
【００３１】
第一の搬送ローラ部１２は、第一の上部ローラ１２ａ、第一の下部ローラ１２ｂ、および第一の側部ローラ１２ｃを用いて構成されている。また、第二の搬送ローラ部１３は、第二の上部ローラ１３ａ、第二の下部ローラ１３ｂ、および第二の側部ローラ１３ｃを用いて構成されている。
ここでは、上部ローラ１２ａ，１３ａおよび側部ローラ１２ｃ，１３ｃ（以下、第一の上部ローラ１２ａと第一の側部ローラ１２ｃとをあわせて「第一の圧着ローラ部」、第二の上部ローラ１３ａと第二の側部ローラ１３ｃとをあわせて「第二の圧着ローラ部」ともいう。）と、下部ローラ１２ｂ，１３ｂとの間に感光材料Ｐが挟持可能であるように構成されており、それぞれの圧着ローラ部を用いて、感光材料Ｐを下部ローラ１２ｂ，１３ｂ側に圧着させた状態で、感光材料Ｐの搬送を行っている。また、これらの第一および第二の圧着ローラ部は、適宜、感光材料Ｐを圧着する方向およびその反対方向に移動可能であるように構成されている。
【００３２】
平面性確保手段たる第一の押圧ローラ１４と第二の押圧ローラ１５とは、感光材料Ｐ上の露光領域Ｓの外側に設けられている。また、第一および第二の押圧ローラ１４，１５と露光台１１との間に感光材料を挟持することが可能であるように、各押圧ローラ１４，１５が、露光台１１上に配置されている。
具体的には、露光領域Ｓの外側で且つ露光前の感光材料Ｐ側に（第一の搬送ローラ部１２と露光領域Ｓとの間に）、第一の押圧ローラ１４が設けられ、露光領域Ｓの外側で且つ露光後の感光材料Ｐ側に（露光領域Ｓと第二の搬送ローラ部１３との間に）、第二の押圧ローラ１５が設けられている。
また、第一および第二の押圧ローラ１４，１５は、感光材料Ｐの幅以上の長さを有している。
【００３３】
以上のように、本実施形態においては、第一の搬送ローラ部１２と第二の搬送ローラ部１３との間に設けられた感光材料Ｐの平面性確保手段が、露光台１１、第一の押圧ローラ１４、および第二の押圧ローラ１５を用いて構成されている。このように構成された本実施形態によれば、感光材料Ｐが湾曲した状態で（ロールされた状態で）第一の搬送ローラ部１２から第二の搬送ローラ部１３に対して搬送される場合であっても、感光材料Ｐが第一および第二の押圧ローラ１４，１５と露光台１１との間を搬送されることによって、感光材料Ｐが露光台１１側に押しつけられ、感光材料Ｐに対して一定の張力が与えられる。そして、感光材料Ｐにおける画像記録面（露光領域Ｓ内の所定領域）の平面性を確保することが可能となる。
したがって、本実施形態によれば、平面性確保手段として第一および第二の押圧ローラ１４，１５を設けるだけで、電気的な制御機構等を必要とせず、装置を大型化・複雑化することもなく、露光時における感光材料Ｐの平面性を確保することが可能である写真処理装置を得ることができる。
【００３４】
なお、本実施形態においては、露光台１１上のどの位置に第一および第二の押圧ローラ１４，１５を設けるか（露光台１１と各押圧ローラ１４，１５との間にどの程度の間隔を設けるか）については特に説明しなかったが、本実施形態は何らかの構成に限定されるものではなく、感光材料Ｐにおける画像記録面（露光領域Ｓ内の所定領域）の平面性を効果的に確保することが可能である位置であれば、各押圧ローラ１４，１５をどの位置に設けてもよい。
【００３５】
したがって、例えば、第一の押圧ローラ１４の下側の外周接線と、第二の押圧ローラ１５の下側の外周接線とを結んだ押圧ラインＬｐ（図２参照）が、第一の上部ローラ１２ａの下側の外周接線と、第二の上部ローラ１３ａの下側の外周接線とを結んだ第一の搬送ラインＬ1（図３参照）よりも下側（露光台１１側）に位置する構成であるか、少なくとも押圧ラインＬｐと第一の搬送ラインＬ1 とが同位置に存在する構成であることが好ましい。
この好ましい例によれば、押圧ラインＬｐが、少なくとも第一の搬送ラインＬ1（感光材料Ｐが平面状態で搬送される場合において感光材料Ｐの上面（乳剤面）が通るライン）よりも下側に設けられているので、第一の搬送ローラ部１２と第二の搬送ローラ部１３との間で感光材料Ｐが湾曲している場合であっても、第一および第二の押圧ローラ１４，１５によって、第一の搬送ラインＬ1 以下に感光材料Ｐが押さえ込まれるので、その押圧力で感光材料Ｐに張力がかかり、感光材料Ｐの平面性が確保されることとなる。
【００３６】
図４は、第一の押圧ローラ１４と第二の押圧ローラ１５との間における押圧ラインＬｐが、第一の上部ローラ１２ａと第二の上部ローラ１３ａとの間における第一の搬送ラインＬ1 よりも下側（露光台１１側）に設けられた構成の一例を示した画像露光部の部分拡大図を示したものである。この図４に示した構成によれば、第一および第二の押圧ローラ１４，１５によって、感光材料Ｐが露光台１１に押しつけられるので、感光材料Ｐにおける画像記録面（露光領域Ｓ内の所定領域）の平面性を効果的に確保することが可能となる。
【００３７】
さらに、例えば、押圧ラインＬｐ（図２参照）が、第一の下部ローラ１２ｂの上側の外周接線と、第二の下部ローラ１３ｂの上側の外周接線とを結んだ第二の搬送ラインＬ2（図５参照）よりも下側（露光台１１側）に位置する構成であるか、少なくとも押圧ラインＬｐと第二の搬送ラインＬ2 とが同位置に存在する構成であることが好ましい。
この好ましい例によれば、押圧ラインＬｐが、少なくとも第二の搬送ラインＬ2（感光材料Ｐが平面状態で搬送される場合において感光材料Ｐの下面が通るライン）よりも下側に設けられているので、押圧ラインＬｐを第一の搬送ラインＬ1 以下に設けた場合よりも、さらに大きな押圧力によって感光材料Ｐを押さえ込むことが可能となる。したがって、この押圧力によって、感光材料Ｐの平面性がより効果的に確保されることとなる。
【００３８】
また、この露光台１１と各押圧ローラ１４，１５との間隔は、搬送し露光される感光材料Ｐの厚さに応じて、適宜変更することが好ましい。つまり、感光材料Ｐの厚さが変化すれば、自ずと第一の搬送ラインＬ1 および第二の搬送ラインＬの少なくとも一方が変化することとなる。したがって、これらの各ラインの変化に応じて、押圧ラインＬｐについても適当に変更する必要がある。
【００３９】
なお、以上の実施形態においては、平面性確保手段たる第一および第二の押圧ローラ１４，１５が所定の位置に固定された構成である場合について説明したが、本実施形態はこの構成に限定されるものではない。したがって、例えば、第一および第二の押圧ローラ１４，１５の少なくとも一方が揺動可能であるように構成されてもよい。
【００４０】
図６は、揺動可能に構成された第一および第二の押圧ローラ１４，１５を有した画像露光部の部分拡大図を示したものである。
図６によれば、第一および第二の押圧ローラ１４，１５が露光台１１上を上下方向に揺動するので、感光材料Ｐが露光台１１上を搬送されていない場合には、第一および第二の押圧ローラ１４，１５は、自重によって露光台１１に接することとなる（あるいは露光台１１との間に若干の隙間を有して配置されることとなる）。図６においては、この状態の第一および第二の押圧ローラ１４，１５を仮想線（二点鎖線）で示している。この状態が、感光材料Ｐを搬送する前の待機状態である。
そして、感光材料Ｐが露光台１１上を搬送される際においては、感光材料Ｐによって第一および第二の押圧ローラ１４，１５が上方に持ち上げられ、感光材料Ｐは、第一および第二の押圧ローラ１４，１５と露光台１１との間を、第一の押圧ローラ１４、第二の押圧ローラ１５、および露光台１１に接しながら、露光され、搬送されることとなる。
このような構成であれば、各押圧ローラ１４，１５の自重によって感光材料Ｐが露光台１１に押さえつけられるので、感光材料Ｐに対して張力がかかり、感光材料Ｐの露光面の平面性が効果的に確保される。
【００４１】
また、以上の実施形態においては、第一および第二の押圧ローラ１４，１５の回転数については特に説明しなかったが、本実施形態においては、第一の押圧ローラ１４の回転数を第二の押圧ローラ１５の回転数よりも小さい値に設定することが好ましい。このような構成とすれば、感光材料Ｐに対して効果的に張力（第一の押圧ローラ１４によるバックテンション）をかけることが可能となる。
なお、この際の回転数は、例えば、各押圧ローラ１４，１５に設けられているベアリング等の摩擦抵抗等を調整することによって設定すればよい。すなわち、第一の押圧ローラ１４に設けられているベアリングの摩擦抵抗を第二の押圧ローラ１５に設けられているものよりも大きくして、第二の押圧ローラ１５よりも第一の押圧ローラ１４の方が回転しづらい状態となるように、第一の押圧ローラ１４の回転数を小さく設定すればよい。
【００４２】
また、本実施形態においては、感光材料Ｐにおける画像記録面（露光領域Ｓ内の所定領域）の近傍に第一および第二の押圧ローラ１４，１５を配置しているので、画像記録面上における感光材料Ｐの振動を効果的に抑えることが可能となる。
【００４３】
〈第二の実施形態〉
図７は、本発明の第二の実施形態に係る写真処理装置における画像焼付露光部を構成している露光台近傍の部分拡大図を示したものである。図７において、本実施形態に係る画像焼付露光部は、光源部（図示省略）と、感光材料Ｐを保持するために設けられた露光台２１と、感光材料Ｐを搬送する手段たる第一の搬送ローラ部１２および第二の搬送ローラ部１３等とを用いて構成されている。
【００４４】
本実施形態と第一の実施形態とは、平面性確保手段の構成が異なっており、その他の第一および第二の搬送ローラ部１２，１３等については同様の構成を有している。そこで、ここでは、第一の実施形態と異なる本実施形態の特徴部分についての説明を行う。
【００４５】
本実施形態においては、露光台２１が平面性確保部２１ａを有している。ここで、平面性確保部２１ａとは、感光材料Ｐにおける画像記録面（露光領域Ｓ内の所定領域）以上の面積を有した（画像記録面を覆うことが可能である形状を有した）平面状の部材であり、本実施形態においては、この平面性確保部２１ａを有した露光台２１が、感光材料Ｐにおける画像記録面の下側に配置されている。そして、この平面性確保部２１ａの上面（感光材料Ｐの裏面と接する面）が、図５で示した第二の搬送ラインＬ2 よりも上方に位置するように、露光台２１の設置位置が定められている。
【００４６】
以上のように、本実施形態においては、平面性確保手段たる平面性確保部２１ａの上面が、第二の搬送ラインＬ2 よりも上方に位置するように構成されている。
このように構成された本実施形態によれば、感光材料Ｐが湾曲した状態で（ロールした状態で）第一の搬送ローラ部１２から第二の搬送ローラ部１３に対して搬送される場合であっても、露光台２１上を感光材料Ｐが搬送されることによって、感光材料Ｐが露光台２１の平面性確保部２１ａによって上方に押し上げられるので、感光材料Ｐに対しては一定の張力が与えられることとなる。そうして、感光材料Ｐにおける画像記録面の平面性が確保される。
したがって、本実施形態によれば、平面性確保手段として平面性確保部２１ａを有した露光台２１を設けるだけで、電気的な制御機構等を必要とせず、装置を大型化・複雑化することもなく、露光時における感光材料Ｐの平面性を確保することが可能である写真処理装置を得ることができる。
【００４７】
〈第三の実施形態〉
図８は、本発明の第三の実施形態に係る写真処理装置における画像焼付露光部を構成している露光台近傍の部分拡大図を示したものである。図８において、本実施形態に係る画像焼付露光部は、光源部（図示省略）と、感光材料Ｐを保持するために設けられた露光台３１と、感光材料Ｐを搬送する手段たる第一の搬送ローラ部１２および第二の搬送ローラ部１３等とを用いて構成されている。
【００４８】
本実施形態と第二の実施形態とは、平面性確保手段たる露光台の構成が異なっており、その他の第一および第二の搬送ローラ部１２，１３等については同様の構成を有している。そこで、ここでは、第二の実施形態と異なる本実施形態の特徴部分についての説明を行う。
【００４９】
本実施形態においては、露光台３１（の平面性確保部（露光台３１の上面）における感光材料Ｐとの接触面）が、所定の形状に湾曲して構成されている。具体的には、露光台３１の上面部（平面性確保部）における前記感光材料との接触面が、被写界深度内の曲率半径Ｒｃで形成されている。ここで、平面性確保部とは、感光材料Ｐにおける画像記録面（露光領域Ｓ内の所定領域）以上の面積を有した（画像記録面を覆うことが可能である形状を有した）部分であり、本実施形態においては、この平面性確保部を有した露光台３１が、感光材料Ｐにおける画像記録面の下側に配置されている。また、露光台３１の平面性確保部が、図５で示した第二の搬送ラインＬ2 よりも上方に位置するように、露光台３１の設置位置が定められている。
【００５０】
さらに、この曲率半径Ｒｃは、先述した式［数１］で示す関係であることが好ましい。なお、通常は、被写体側の能力や機械誤差を考慮して深度幅を計算値よりも小さく設定して曲率半径Ｒｃを求めることが望ましい。
【００５１】
本実施形態に係る画像焼付露光部においては、レンズの特性上、以上のように構成された露光台３１上に感光材料Ｐを沿わせることによっても、感光材料Ｐに対して比較的高品質の露光を行うことができる。
【００５２】
以上のように構成された本実施形態によれば、感光材料Ｐが湾曲した状態で（ロールした状態で）第一の搬送ローラ部１２から第二の搬送ローラ部１３に対して搬送される場合であっても、露光台３１上を感光材料Ｐが搬送されることによって、感光材料Ｐが露光台３１によって上方に押し上げられるので、感光材料Ｐに対しては一定の張力が与えられることとなる。そうして、感光材料Ｐにおける画像記録面の平面性が確保される。
【００５３】
また、本実施形態においては、所定の曲率半径Ｒｃを有した露光台３１のそりになじませるようにして、感光材料Ｐを搬送させている。すなわち、元々感光材料Ｐが有しているそりと、露光台３１のそりとをなじませるようにして、感光材料Ｐに対して張力を与えている。したがって、本実施形態によれば、感光材料Ｐに対して必要以上の負荷を与えない状態で、張力を与えて、感光材料Ｐにおける画像記録面の平面性を確保することが可能となる。
【００５４】
なお、以上の第二および第三の実施形態においては、露光台２１，３１の平面性確保部を第二の搬送ラインＬ2 よりも上方に位置するように構成した場合について説明したが、本発明はこの構成に限定されるものではない。したがって、例えば、その構成において、感光材料Ｐに対してより大きな張力を必要とする場合には、露光台２１，３１の平面性確保部を第一の搬送ラインＬ1（図３参照）よりも上方側に位置するように構成してもよい。
【００５５】
また、以上の第一〜第三の実施形態においては、感光材料を露光する際に、アナログの光源部を用いる場合について説明したが、本発明はこの構成に限定されるものではく、例えば、光源部として、ＤＭＤ（Ｄｉｇｉｔａｌ  Ｍｉｃｒｏｍｉｒｒｏｒ  Ｄｅｖｉｃｅ）（登録商標）、ＰＬＺＴ（透光性圧電セラミックス）等のデジタルエンジンを用いてもよい。
【００５６】
また、以上の第一〜第三の実施形態においては、感光材料Ｐの露光を行う際に、第一の搬送ローラ部１２を構成している第一の圧着ローラ部を第一の下部ローラ１２ｂから退避させて（移動させて）、感光材料Ｐの圧着状態を解除した上で、感光材料Ｐに対してバックテンションを付加する構成であってもよい。このような構成であれば、露光台１１上の感光材料の平面性をより効果的に確保することが可能となる。
なお、このときの具体的な構成としては、第一の圧着ローラ部を、感光材料Ｐを挟持する方向と、その反対方向とに必要に応じて可動可能とし、第一の搬送ローラ部１２の前部にダンサーローラ等を設ける構成があげられる。このような構成であれば、感光材料Ｐに対して効果的にバックテンションを付加することができる。
【００５７】
さらに、以上の第一〜第三の実施形態においては、感光材料Ｐにバックテンションを付加する構成が、ダンサーローラ等を設けるものに限定されることはない。したがって、例えば、第一の搬送ローラ部１２において、所定の抵抗を付加する状態で（バックテンションが付加された状態で）、感光材料Ｐがスリップするような構成であってもよい。このような構成であれば、第一の圧着ローラ部を可動させることなく、感光材料Ｐに対してバックテンションを付加することが可能となる。
【００５８】
【発明の効果】
以上説明したように、本発明によれば、電気的な制御機構等を必要とせず、装置を大型化・複雑化することもなく、比較的簡単な構造を用いて、露光時における感光材料の平面性を確保することが可能である写真処理装置を得ることができる。
【図面の簡単な説明】
【図１】本発明の第一の実施形態に係る画像焼付露光部を構成している露光台近傍の部分拡大図
【図２】本発明の第一の実施形態における押圧ライン（Ｌｐ）を説明するための図
【図３】本発明の第一の実施形態における第一の搬送ライン（Ｌ1 ）を説明するための図
【図４】本発明の第一の実施形態に係る画像焼付露光部の他の構成における露光台近傍の部分拡大図
【図５】本発明の第一の実施形態における第二の搬送ライン（Ｌ2 ）を説明するための図
【図６】本発明の第一の実施形態に係る画像焼付露光部の他の構成における露光台近傍の部分拡大図
【図７】本発明の第二の実施形態に係る画像焼付露光部を構成している露光台近傍の部分拡大図
【図８】本発明の第三の実施形態に係る画像焼付露光部を構成している露光台近傍の部分拡大図
【図９】従来技術に係る写真処理装置の概略構成側面図
【図１０】従来技術に係る画像焼付露光部を構成している露光台近傍の部分拡大図
【符号の説明】
１１，２１，３１    露光台
１２    第一の搬送ローラ部
１２ａ    第一の上部ローラ
１２ｂ    第一の下部ローラ
１２ｃ    第一の側部ローラ
１３    第二の搬送ローラ部
１３ａ    第二の上部ローラ
１３ｂ    第二の下部ローラ
１３ｃ    第二の側部ローラ
１４    第一の押圧ローラ
１５    第二の押圧ローラ
【図１】
0004092672.tif 000002
【図２】
0004092672.tif 000003
【図３】
0004092672.tif 000004
【図４】
0004092672.tif 000005
【図５】
0004092672.tif 000006
【図６】
0004092672.tif 000007
【図７】
0004092672.tif 000008
【図８】
0004092672.tif 000009
【図９】
0004092672.tif 000010
【図１０】
0004092672.tif 000011